(57)【要約】  【課題】口径規制板や中間板を地板に対して簡単且つ確実に取り付けることを可能にしたコスト面で有利なカメラ用羽根駆動装置を提供すること。  【解決手段】露光開口を規制するための開口部２ａを有している口径規制板２は、複数の孔を、地板１に設けられた羽根取付軸１ｆ，１ｇなどに嵌合させている。シャッタ羽根４，５は、口径規制板２とカバー板３との間において、羽根取付軸１ｆ，１ｇに回転可能に取り付けられ、長孔４ａ，５ａには回転子６と一体の出力ピン６ａが挿入されている。カバー板３は、可撓性を有する折曲片３ｈ，３ｉに形成された孔３ｈ−１，３ｉ−１の縁を地板１の係合部１ｄ，１ｅに引っ掛けており、その状態のとき、折曲片３ｈ，３ｉに形成された各々一対の押圧部３ｈ−２，３ｈ−３、３ｉ−２，３ｉ−３が、口径規制板２の被押圧部２ｂ，２ｃ、２ｄ，２ｅを地板１に密接させるよう構成されている。【選択図】  図１
2009244614.tif 000002
【特許請求の範囲】
【請求項１】
撮影光路用の開口部を有しているほか外周部に複数の係合部を有している地板と、撮影光路用の開口部を有している薄板部材と、撮影光路用の開口部を有しているほか周辺部には可撓性を有する複数の折曲片を有しており該折曲片には前記係合部に掛け止めさせるフック部が形成され該フック部を間にした両側の少なくとも一方には前記薄板部材を前記地板に向けて押す押圧部が形成されていて少なくとも前記薄板部材との間に羽根室を構成しているカバー板と、前記羽根室に配置されており駆動手段によって往復作動させられ前記開口部に進退する少なくとも１枚の羽根と、を備えていることを特徴とするカメラ用羽根駆動装置。
【請求項２】
前記折曲片には、前記薄板部材が前記地板面に沿って移動するのを阻止するために、前記押圧部の形成部位が、前記薄板部材の一部を抱え込み得る凹状に形成されていることを特徴とする請求項１に記載のカメラ用羽根駆動装置。
【請求項３】
前記薄板部材は、その一方の面を、前記押圧部によって前記地板の面に密接させられていて、前記カバー板との間にだけ、前記羽根室を構成していることを特徴とする請求項１又は２に記載のカメラ用羽根駆動装置。
【請求項４】
前記薄板部材は、前記カバー板との間に前記羽根室を構成して、そこに前記羽根を配置すると共に、前記地板との間に第２の羽根室を構成して、そこに第２の駆動手段によって往復作動させられ前記開口部に進退する少なくとも１枚の第２の羽根を配置していることを特徴とする請求項１又は２に記載のカメラ用羽根駆動装置。
【請求項５】
前記薄板部材と前記地板との間に、撮影光路用の開口部を有している第２の薄板部材が配置され、前記折曲片には、前記フック部を間にした両側のうちの一方に前記押圧部が形成されていて、他方には該第２の薄板部材を前記地板に向けて押す第２の押圧部が形成されていることを特徴とする請求項４に記載のカメラ用羽根駆動装置。
【発明の詳細な説明】
【技術分野】
【０００１】
本発明は、シャッタ装置，絞り装置，フィルタ装置，レンズバリア装置とすることの可能なカメラ用羽根駆動装置に関する。
【背景技術】
【０００２】
カメラに採用されているレンズシャッタ装置（以下、シャッタ装置という），絞り装置，フィルタ装置は、各々１枚又は複数枚の羽根を有していて、それらをアクチュエータによって往復作動させるようにしている。それらのうち、シャッタ装置の場合は、シャッタ羽根を２枚とし、それらを相反する方向へ回転させるようにしたものが多いが、レンズ口径の小さいカメラ、特に携帯電話に内蔵されるカメラのように極めて小さいカメラの場合には、１枚としたものもある。そして、そのような構成のシャッタ装置は、シャッタ羽根を、撮影レンズの前面で作動させるバリア羽根とすることにより、ムービーカメラをも含むカメラ用のレンズバリア装置として使用することが可能であることも知られている。
【０００３】
また、最近の小型カメラに採用されている絞り装置の場合は、小さな円形の開口部を有した１枚の絞り羽根を備えていて、必要に応じて、その絞り羽根を撮影光路に進退させるようにしたものが多くなっている。更に、フィルタ装置の場合は、上記の絞り羽根と類似の形状（但し、その開口部は、撮影光路規制用の開口部より大きい場合がある）をした１枚の羽根部材に、その開口部を覆うようにしてＮＤフィルタ板を取り付けることにより、フィルタ羽根としたものが一般的であるが、中には、そのような開口部を有する羽根部材を２枚用意して、それらの間に、ＮＤフィルタ板のみで製作した羽根部材を重合させたものをフィルタ羽根とし、それらの３枚の羽根部材を同時に同方向へ同角度だけ往復回転させ、撮影光路に進退させるようにしたものも知られている。そして、これらのシャッタ羽根，バリア羽根，絞り羽根，フィルタ羽根は、最近では、夫々のアクチュエータによって往復作動をさせられるのが普通になっている。
【０００４】
また、上記の装置のうち、シャッタ装置，絞り装置，フィルタ装置の場合は、各々単独でユニット化されることもあるが、それらの二つ以上の装置を一つのユニットとすることもある。更に、単独でユニット化する場合であっても、シャッタ装置の場合には、開き用のシャッタ羽根と閉じ用のシャッタ羽根とを、別々のアクチュエータで駆動するようにすることがある。また、絞り装置の場合には、異なる大きさの絞り開口を有する複数の絞り羽根を、別々のアクチュエータで駆動するようにすることがあるし、フィルタ装置の場合には、濃度の異なる複数のフィルタ羽根を、別々のアクチュエータで駆動するようにすることもある。そして、そのようにユニット化された羽根駆動装置は、従来からの銀塩フィルムカメラやビデオカメラに採用可能であることはもちろんのこと、最近のデジタルスチルカメラ，デジタルビデオカメラ，看視カメラ，携帯電話用を含む情報端末機器用カメラなどに採用することが可能である。
【０００５】
ところで、これらの羽根駆動装置においては、地板と、その地板に取り付けられたカバー板との間に、一つ又は二つの羽根室を構成し、上記の各羽根は、それらの羽根室に配置されるようになっている。そして、一つの羽根室には、シャッタ羽根，絞り羽根，フィルタ羽根，バリア羽根のうち、いずれか１種類の羽根だけを配置するようにするのが普通である。しかしながら、シャッタ羽根，絞り羽根，フィルタ羽根の場合には、一つの羽根室に、それらのうちの２種類以上を配置するようにしたものも知られているし、同一種類の羽根であっても、二つの羽根室に別々に配置するようにしたものも知られている。
【０００６】
また、上記のような二つの羽根室を構成する場合には、地板とカバー板との間の空間を、地板よりも薄い板材で製作された薄板部材（この場合は、中間板，仕切り板などと言われることが多い）で仕切るようにしている。また、羽根室を一つ構成するか二つ構成するかに関係なく、主に小型の羽根駆動装置の場合には、上記の薄板部材とは別に、露光開口を規制するために地板よりも薄い板材で製作された薄板部材（この場合は、口径規制板，口径板などと言われることが多い）を地板に密着させて配置し、その薄板部材とカバー板との間に羽根室を構成する場合のあることも知られている。そのうえ更に、カバー板も薄板部材とし、そのカバー板を地板に取り付けたとき、カバー板に形成されていて弾性を有する押圧部が、上記の薄板部材の一方（中間板又は口径規制板）を地板に押し付けるように構成することがあることも知られている。
【０００７】
そして、下記の特許文献１には、上記のようなカバー板を、ねじで地板に取り付けたとき、カバー板に形成されている押圧部が、上記の中間板を地板に押し付けているように構成したカメラ用羽根駆動装置が記載されている。また、下記の特許文献２には、上記のようなカバー板を、折曲部として形成したフック部の孔を地板の外周面に設けた係合部に掛けることによって地板に取り付けたとき、カバー板に形成された押圧部が、上記の口径規制板を地板に押し付けているように構成したカメラ用羽根駆動装置が記載されている。更に、下記の特許文献３には、上記のようなカバー板を、特許文献２に記載されているカバー板のようにして地板に取り付けたとき、フック部の孔の縁が上記の口径板（口径規制板）を地板に押し付けているように構成したカメラ用羽根駆動装置が記載されている。本発明は、これらのように、薄板部材として製作されているカバー板を地板に取り付けたとき、そのカバー板に形成されている押圧部が、同様の薄板部材である中間板や口径規制板を地板に押し付けているように構成したカメラ用羽根駆動装置に関するものである。
【０００８】
【特許文献１】特開２００５−３３８６９１号公報
【特許文献２】特開２００５−２４１７２５号公報
【特許文献３】特開２００５−３０９２７６号公報
【発明の開示】
【発明が解決しようとする課題】
【０００９】
特許文献１に記載されているカメラ用羽根駆動装置は、カバー板を地板に取り付けるのに、ねじを複数個使用している。そのため、コストの面で有利とは言い難い。その点、特許文献２に記載されているカメラ用羽根駆動装置は、専用の取付部材を必要としないので、部品点数の面からは極めて有利なものになっている。ところが、この場合のカバー板は、地板の係合部に掛けるフック部と、口径規制板を地板に押し付ける押圧部（折曲部）とを、複数ずつ、各々離れた位置に形成しているため、携帯電話内蔵カメラなどの小型カメラ用の羽根駆動装置の場合には、装置全体の設計に制約を受けてしまうという問題点がある。それに対して、特許文献３に記載されているカメラ用羽根駆動装置は、カバー板の専用取付部材を必要としないうえに、地板の係合部に掛けるフック部の孔の縁で口径規制板（口径板）を地板に押し付けるようにしているので、設計の自由度を損なうということもない。しかしながら、この構成の場合には、カバー板を地板に取り付けるとき、フック部の孔の縁によって口径規制板の一部を折り曲げる必要があり、しかもその際、薄い口径規制板の平面性を損なわないようにして折り曲げる必要があることから、カバー板の取付作業が面倒であるという問題点がある。
【００１０】
本発明は、このような問題点を解決するためになされたものであり、その目的とするところは、カバー板が地板に取り付けられたとき、その押動部が、二つの羽根室を構成するために組み付けられている薄板部材（中間板）や、露光開口を規制するために組み付けられている薄板部材（口径規制板）を地板に押し付けているようにしたカメラ用羽根駆動装置において、専用の取付部材を用いず且つ簡単にカバー板を地板に対して取り付けることができ、しかも、装置の設計の自由度を損なわなくて済むようにした、コスト面で極めて有利なカメラ用羽根駆動装置を提供することである。
【課題を解決するための手段】
【００１１】
上記の目的を達成するために、本発明のカメラ用羽根駆動装置は、撮影光路用の開口部を有しているほか外周部に複数の係合部を有している地板と、撮影光路用の開口部を有している薄板部材と、撮影光路用の開口部を有しているほか周辺部には可撓性を有する複数の折曲片を有しており該折曲片には前記係合部に掛け止めさせるフック部が形成され該フック部を間にした両側の少なくとも一方には前記薄板部材を前記地板に向けて押す押圧部が形成されていて少なくとも前記薄板部材との間に羽根室を構成しているカバー板と、前記羽根室に配置されており駆動手段によって往復作動させられ前記開口部に進退する少なくとも１枚の羽根と、を備えているようにする。その場合、前記折曲片には、前記薄板部材が前記地板面に沿って移動するのを阻止するために、前記押圧部の形成部位が、前記薄板部材の一部を抱え込み得る凹状に形成されているようにすると、薄板部材の取付状態がより安定する。
【００１２】
また、前記薄板部材は、その一方の面を、前記押圧部によって前記地板の面に密接させられていて、前記カバー板との間にだけ、前記羽根室を構成しているようにしてもよいし、前記カバー板との間に前記羽根室を構成して、そこに前記羽根を配置すると共に、前記地板との間に第２の羽根室を構成して、そこに第２の駆動手段によって往復作動させられ前記開口部に進退する少なくとも１枚の第２の羽根を配置しているようにしてもよい。そして、後者のようにする場合には、前記薄板部材と前記地板との間に、撮影光路用の開口部を有している第２の薄板部材が配置され、前記折曲片には、前記フック部を間にした両側のうちの一方に前記押圧部が形成されていて、他方には該第２の薄板部材を前記地板に向けて押す第２の押圧部が形成されているようにすることが好ましい。
【発明の効果】
【００１３】
本発明は、カバー板が地板に取り付けられたとき、その押動部が、二つの羽根室を構成するために組み付けられている薄板部材（中間板）や露光開口を規制するために組み付けられている薄板部材（口径規制板）を、地板に対して押し付けているようにしたカメラ用羽根駆動装置において、カバー板の周辺部に設けられている複数の折曲片に、地板の係合部に掛けるフック部を形成しているだけでなく、そのフック部の両側の少なくとも一方には上記の押動部を形成するようにしたから、装置を小型化しても設計の自由度を損なうことがなく、しかも、地板に対してカバー板を容易に且つ確実に取り付けることができ、コスト面で極めて有利である。
【発明を実施するための最良の形態】
【００１４】
本発明の実施の形態を、図示した四つの実施例によって説明する。尚、上記したように、本発明は、シャッタ装置，絞り装置，フィルタ装置，レンズバリア装置を夫々単独でユニット化した羽根駆動装置とすることも、レンズバリア装置以外の二つの装置をユニット化した羽根駆動装置とすることも可能であるが、実施例１，４は、シャッタ装置を単独でユニット化したものであり、実施例２は、シャッタ装置と絞り装置をユニット化したものであり、実施例３は、シャッタ装置とフィルタ装置をユニット化したものである。そのため、その他の場合については、適宜、各実施例の説明中で説明を加えることにする。また、本発明は、銀塩フィルムカメラ用の羽根駆動装置とすることも、各種のデジタルカメラ用の羽根駆動装置とすることも可能であるが、各実施例は、情報端末機器に内蔵するデジタルカメラ用の羽根駆動装置として構成したものである。また、図面は、図１〜図４が、実施例１を説明するためのものであり、図５〜図７が、実施例２を説明するためのものであり、図８〜図１０が、実施例３を説明するためのものであり、図１１及び図１２が、実施例４を説明するためのものである。
【実施例１】
【００１５】
図１〜図４を用いて実施例１を説明するが、上記したように、本実施例は、シャッタ装置を単独でユニット化したものであって、図１は、撮影待機状態を示した平面図であり、図２は、図１を下方から見た図であり、図３は、構成部材の重なり状態を理解し易く示した断面図であり、図４は、撮影終了直後の状態を示した平面図である。尚、図３の断面図は、あくまでも図１では理解することが難しい構成部材の形状や重なり関係を少しでも理解し易くするために示したものであって、図１における所定の箇所を切断して示したものではない。そのため、各部材相互の形状寸法も正確に示されたものではない。そして、このことは、以下における実施例２，実施例３を説明するための図７，図１０の場合も同じである。
【００１６】
そこで先ず、本実施例の構成を説明する。地板１は、合成樹脂製であって、略中央部には、光軸を中心にした円形の開口部１ａが形成されている。この地板１は、アクチュエータの構成部材も含めて多くの部材を取り付ける必要があることから、比較的厚い部材となっていて、その両面はもとより、周面も複雑な形状になっている。また、通常は、地板１の開口部１ａを光路規制用の開口部（露光開口）とすることが多いが、本実施例の場合は、図示していない撮影レンズを、後述のシャッタ羽根４，５の作動面に近接して配置することを可能にするために、開口部１ａの直径を光路規制用の開口部より大きくし、後述のように、光路規制用の開口部は後述の口径規制板２に設けるようにしている。そのため、この開口部１ａの形状は、その縁が撮影レンズと接触しないようになってさえいればよいので、本実施例のように、必ずしも円形である必要はない。
【００１７】
地板１の外周部には、図１の上方位置と下方位置に、同一形状をした切込部１ｂ，１ｃが形成されていて、それらの周面から突き出すようにして、図３に示されている断面形状をした係合部１ｄ，１ｅが形成されている。また、図１において、地板１の手前側には、薄板部材として地板１より薄く製作された口径規制板２と、カバー板３が配置されている。口径規制板２とカバー板３の平面形状は地板１と略同じであって、口径規制板２は、後述するように、カバー板３を地板１に取り付けるとき、カバー板３の一部によって地板１に密接させられようになっている。そして、口径規制板２とカバー板３との間には、後述するシャッタ羽根４，５の羽根室が構成されている。尚、図１と図４においては、羽根室内の一部が見えるようにするために、カバー板３の一部の領域を切断して示してある。
【００１８】
地板１の羽根室側の面、即ち口径規制板２側の面には、図１に示されているように、二つの羽根取付軸１ｆ，１ｇと、二つの位置決めピン１ｈ，１ｉと、四つのストッパ軸１ｊ，１ｋ，１ｍ，１ｎと、カバー板３に接触する四つの受け部１ｐ，１ｑ，１ｒ，１ｓとが一体成形で形成されており、位置決めピン１ｈは、略三角形をした受け部１ｒの上に立設されている。また、地板１の反対側の面には、回転子取付軸１ｔと、位置決めピン１ｕと、図３に示されている固定子取付軸１ｖ，１ｗとが一体成形で形成されている。更に、地板１には、回転子取付軸１ｔを中心にした円弧状の長孔１ｘが、貫通孔として形成されている。尚、それらのうち、固定子取付軸１ｖ，１ｗは、地板１の製作時においては円柱形をしているが、そのことについては、詳しく後述する。
【００１９】
口径規制板２は、合成樹脂製でも構わないが、本実施例の場合には、金属製の薄い板材で製作されていて、図１から分かるように、その略中央部に、光軸を中心にした円形の開口部２ａが形成されている。そして、その開口部２ａは、地板１の開口部１ａよりも直径がかなり小さくて、撮影光の開口、即ち露光開口を規制するようになっている。また、符号を付けていないが、この口径規制板２には、円形をした五つの孔が形成されていて、それらのうちの二つを上記の羽根取付軸１ｆ，１ｇに嵌合させ、その他の孔を、上記の位置決めピン１ｉ，ストッパ軸１ｍ，受け部１ｓに夫々嵌合させている。更に、この口径規制板２には、その外周部に、夫々、上記の切込部１ｂ，１ｃを間にして一対ずつの被押圧部２ｂ，２ｃ，２ｄ，２ｅが設けられている。そして、この口径規制板２には、上記の長孔１ｘと重なる領域に同じ形状をした長孔２ｆが形成されている。
【００２０】
カバー板３は、合成樹脂製でも構わないが、本実施例の場合には、金属製の薄い板材で製作されていて、その略中央部に、光軸を中心にした円形の開口部３ａが形成されているが、図１から分かるように、その直径は、開口部１ａよりも小さく、開口部２ａよりも大きい。このカバー板３には、円形をした五つの孔３ｂ，３ｃ，３ｄ，３ｅ，３ｆと長孔３ｇが形成されていて、それらのうちの孔３ｂ，３ｃを上記の羽根取付軸１ｆ，１ｇに嵌合させ、孔３ｄ，３ｅを上記の位置決めピン１ｈ，１ｉに嵌合させ、孔３ｆをストッパ軸１ｍに嵌合させている。また、長孔３ｇは、上記の長孔１ｘ，２ｆと同じ形状をしていて、それらの長孔１ｘ，２ｆに重なるように形成されている。更に、このカバー板３には、その外周部に可撓性を有する二つの折曲片３ｈ，３ｉが形成されている。そして、それらの折曲片３ｈ，３ｉは、全く同じ形状をしていて、図２に示されている折曲片３ｉから分かるように、上記の係合部１ｄ，１ｅに掛け止めするためのフック部として形成されている長方形の孔３ｈ−１，３ｉ−１と、各々の孔３ｈ−１，３ｉ−１の両側に形成された一対の押圧部３ｈ−２，３ｈ−３，３ｉ−２，３ｉ−３とを有している。
【００２１】
口径規制板２とカバー板３との間に構成されている羽根室には、上記したように２枚のシャッタ羽根４，５が配置されている。それらのうち、口径規制板２側に配置されているシャッタ羽根４は、長孔４ａを有していて、上記の羽根取付軸１ｆに回転可能に取り付けられている。また、カバー板３側に配置されている他方のシャッタ羽根５は、長孔５ａを有していて、上記の羽根取付軸１ｇに回転可能に取り付けられている。
【００２２】
次に、アクチュエータの取付構成を説明する。本実施例のアクチュエータは、特開２００６−２８４８０１号公報などで周知となっている電流制御式のモータである。先ず、回転子６は、径方向に２極に着磁された永久磁石製であって、上記の回転子取付軸１ｔに回転可能に取り付けられている。また、この回転子６には、径方向へ張り出している腕部の先端に出力ピン６ａが設けられていて、その出力ピン６ａは、円弧状に形成されている長孔１ｘ，２ｆを貫通して羽根室内でシャッタ羽根４，５の長孔４ａ，５ａに嵌合し、先端をカバー板３の円弧状の長孔３ｇに挿入している。
【００２３】
他方、固定子枠７は、合成樹脂製であって、二つの平板部７ａ，７ｂの間に中空のボビン部７ｃが形成されており、そのボビン部７ｃの外周には、図３に示されているように、コイル８が巻回されている。また、ヨーク９は、二つの脚部の一方をボビン部７ｃに貫通させていて、それらの脚部の先端部を磁極部とし、回転子６の周面に対向させている。そして、固定子枠７を地板１に取り付けるときは、先ず、ヨーク９の一方の脚部をボビン部７ｃに貫通させておき、ヨーク９に形成されている孔９ａを上記の位置決めピン１ｕに嵌合させると共に、平板部７ａ，７ｂに夫々形成されている孔（平板部７ｂに形成されている孔７ｄだけが図３に示されている）を、そのときには未だ円柱形をしている固定子取付軸１ｖ，１ｗに嵌合させる。そして、固定子取付軸１ｖ，１ｗの先端を熱溶解させ円盤状に変形させること（以下、熱カシメという）によって、図３に示されているような取付状態が得られている。
【００２４】
ここで、地板１に対する、上記の口径規制板２、シャッタ羽根４，５、カバー板３の組み付け方を詳しく説明する。尚、これらの組み付けは、上記のようなアクチュエータの組み付け後に行われる。先ず、地板１に対して口径規制板２を取り付けるが、その場合には、口径規制板２に設けられている円形をした五つの孔（符号なし）を、地板１の羽根取付軸１ｆ，１ｇと、位置決めピン１ｉと、ストッパ軸１ｍと、受け部１ｓとに嵌合させる。それによって、口径規制板２に形成されている円弧状の長孔２ｆに、回転子６の出力ピン６ａが挿通された状態になる。
【００２５】
次に、２枚のシャッタ羽根４，５を取り付ける。このときには、先ず、シャッタ羽根４の孔（符号なし）を羽根取付軸１ｆに嵌合させ、長孔４ａに回転子６の出力ピン６ａを挿通させ、次に、シャッタ羽根５の孔（符号なし）を羽根取付軸１ｇに嵌合させ、長孔５ａに出力ピン６ａを挿通させる。尚、本実施例では、シャッタ羽根を２枚構成としているが、カメラの仕様上で許されるのであれば、一方のシャッタ羽根の平面形状を大きくすることによって、他方のシャッタ羽根を不要としてもよいことは言うまでもない。そのように構成した場合には、装置全体が本実施例の場合よりも小型になる。そして、このことは、以下の各実施例の場合にも言えることである。
【００２６】
最後に、カバー板３を取り付ける。その場合には、折曲片３ｈ，３ｉを図１の手前側から地板１の切込部１ｂ，１ｃに挿入しておいて、カバー板３を地板１側に寄せていく。そうすると、折曲片３ｈ，３ｉは外側に撓みながらその先端を係合部１ｄ，１ｅの斜面に乗り上げていく。そして、孔３ｈ−１，３ｉ−１の先端側の縁がその斜面を乗り上げきった段階で、孔３ｄ，３ｅを位置決めピン１ｈ，１ｉの先端に嵌合させる。その後、なおもカバー板３を地板１側に寄せてゆき、孔３ｈ−１，３ｉ−１の先端側の縁が係合部１ｄ，１ｅの外周面から外れる直前になると、必然的に、羽根取付軸１ｆ，１ｇの先端が孔３ｂ，３ｃに嵌合し、ストッパ軸１ｍの先端が孔３ｆに嵌合し、出力ピン６ａの先端が長孔３ｇに挿入された状態になる。そして、このとき、カバー板３は、受け部１ｐ，１ｑ，１ｒ，１ｓに対して略接触状態になっている。
【００２７】
その後、さらにカバー板３を僅かに撓ませるようにして地板１側に押すと、孔３ｈ−１，３ｉ−１の先端側の縁が係合部１ｄ，１ｅの外周面から外れるので、折曲片３ｈ，３ｉは原形に復する。それによって、押圧部３ｈ−２，３ｈ−３，３ｉ−２，３ｉ−３が、口径規制板２の被押圧部２ｂ，２ｃ，２ｄ，２ｅと接触するようになり、カバー板３を地板１側へ押す力を解除したときには、口径規制板２とカバー板３の間には相互に離れる方向への力が作用するようになる。そのため、口径規制板２は地板１に密接させられ、カバー板３は、孔３ｈ−１，３ｉ−１の先端側の縁が係合部１ｄ，１ｅに引っ掛かった状態になる。
【００２８】
尚、本実施例の場合は、カバー板３の折曲片３ｈ，３ｉに形成されるフック部を、孔３ｈ−１，３ｉ−１として形成しているが、本発明のフック部は、そのような孔形状に限定されるものではなく、例えば鉤状のように係合部１ｄ，１ｅに引っ掛かる形状であればどのような形状であっても構わない。また、本実施例の係合部１ｄ，１ｅは、斜面を有していて地板１の外周面から突き出た形状をしているが、本発明の係合部は、そのような形状に限定されるものではなく、折曲片３ｈ，３ｉに形成されたフック部が、先端を地板１の外周面に向けて曲げた鉤状をしている場合には、地板１の外周面に形成された凹みであっても構わないし、羽根室とは反対側となる地板１の面であっても構わない。そのため、本発明の係合部は、地板１の外周部に形成されていればよく、外周面に形成されているものに限定されない。更に、本実施例の場合には、折曲片３ｈ，３ｉに、二つずつの押圧部３ｈ−２，３ｈ−３，３ｉ−２，３ｉ−３を設けているが、それらは一つずつであってもよい場合がある。そのため、そのようにした場合には、口径規制板２に二つずつ形成されている被押圧部２ｂ，２ｃ，２ｄ，２ｅも、一つずつでよいことになる。そして、このことは、後述する実施例４の被押圧部２ｆ，２ｇ，２ｈ，２ｉの場合にも言えることである。
【００２９】
次に、本実施例の作動を説明する。図１は、本実施例のシャッタ装置をデジタルカメラに採用したときの撮影待機状態を示したものである。そのため、この状態では、シャッタ羽根４，５は、開口部２ａを全開にしているため、図示していない固体撮像素子は被写体光にさらされており、被写体像をモニターで観察可能になっている。また、このとき、アクチュエータのコイル８には通電されていないが、周知のようにして、回転子６には反時計方向へ回転する力が与えられており、シャッタ羽根４，５がストッパ軸１ｊ，１ｋに接触していることによって、この停止状態が維持されている。
【００３０】
撮影に際してレリーズボタンを押すと、その直後には、固体撮像素子に蓄積されていた電荷が放出され、あらたな電荷の蓄積が行われることによって撮影が開始する。その後、所定の時間が経過すると、露光制御回路からの信号によって、コイル８に対して順方向の電流が供給され、回転子６が時計方向へ回転させられる。そのため、出力ピン６ａによって、シャッタ羽根４は時計方向へ回転させられ、シャッタ羽根５は反時計方向へ回転させられて、開口部２ａを閉じていく。そして、シャッタ羽根４，５が開口部２ａを閉鎖した直後には、シャッタ羽根４がストッパ軸１ｍに当接し、シャッタ羽根５がストッパ軸１ｎに当接することによって、回転子６の回転が停止させられる。
【００３１】
このようにして開口部２ａが閉鎖すると、その状態において撮像情報が記憶装置に転送され、撮影が終了する。その状態が、図４に示された状態である。このようにして撮影が終了すると、アクチュエータのコイル８に対して逆方向の電流が供給され、回転子６は、図４の状態から反時計方向へ回転させられる。そのため、出力ピン６ａによって、シャッタ羽根４は反時計方向へ回転させられ、シャッタ羽根５は時計方向へ回転させられて、開口部２ａを開いていく。そして、シャッタ羽根４，５が開口部２ａを全開にした直後には、シャッタ羽根４がストッパ軸１ｊに当接し、シャッタ羽根５がストッパ軸１ｋに当接することによって、回転子６の回転が停止させられる。その後、コイル８への通電を断つと、図１の状態に復帰したことになる。
【００３２】
尚、本実施例の場合には、アクチュエータとして、電流制御式のモータを用いているが、ステップモータなどの他の電磁駆動手段を用いるようにしても差し支えない。また、上記の作動説明は、本実施例のシャッタ装置をデジタルカメラに採用した場合で説明したが、銀塩フィルムカメラに採用した場合には、図４に示された状態が、撮影待機状態となり、撮影に際してレリーズすると、シャッタ羽根４，５は、図１の状態にさせられてから図４の状態に復帰させられることになる。
【００３３】
更に、本実施例は、単独のシャッタ装置として構成したものであるが、シャッタ羽根４，５をバリア羽根として撮影レンズの前面に配置するようにすれば、レンズバリア装置になる。また、シャッタ羽根４，５を、下記の実施例２の羽根駆動装置に備えられている絞り羽根に置き換えれば、単独の絞り装置になるし、シャッタ羽根４，５を、下記の実施例３の羽根駆動装置に備えられているフィルタ羽根やその他の周知のフィルタ羽根に置き換えれば、単独のフィルタ装置になる。また、カメラ用羽根駆動装置の場合には、一つの羽根室内に、シャッタ羽根と絞り羽根を配置したり、シャッタ羽根とフィルタ羽根を配置したり、シャッタ羽根と絞り羽根とフィルタ羽根を配置したりするようにしたものも知られているが、本実施例の場合にも、そのように構成することができることは自明である。従って、それらのように構成された装置は、全て本発明のカメラ用羽根駆動装置である。
【実施例２】
【００３４】
図５〜図７を用いて実施例２を説明するが、本実施例は、シャッタ装置と絞り装置をユニット化したものであって、図５は、撮影待機状態を示した平面図であり、図６は、図５を下方から見た図であり、図７は、構成部材の重なり状態を理解し易く示した断面図である。尚、本実施例は、実施例１における口径規制板２を備えていない。口径規制板２の役目の一つは、上記したように、地板１の開口部１ａに代わって、開口部２ａによって露光開口を規制するためである。ところが、そのほかにも、地板１の開口部１ａが大きいことから、作動時のあばれが顕著になって、シャッタ羽根４，５が撮影レンズに接触してしまうのを防止する役目もしている。本実施例は、そのようなおそれがない場合であって、露光開口の規制は、後述する中間板１２の開口部１２ａが担っているため、そのような口径規制板を備えていないわけである。
【００３５】
そこで先ず、本実施例の構成を説明する。地板１１は、合成樹脂製であって、略中央部には、光軸を中心にした円形の開口部１１ａが形成されている。そして、本実施例の場合にも、図示していない撮影レンズをシャッタ羽根に近接して配置することを可能にするために、開口部１１ａの直径は、光路規制用の開口部（露光開口）の直径より大きい。地板１１の外周部には、図５の上方位置と下方位置に、略同一形状をした切込部１１ｂ，１１ｃが形成されていて、実施例１の場合と同じ断面形状をした係合部１１ｄ，１１ｅが形成されている。図５において、地板１１の手前側には、薄板部材として地板１１よりも薄く製作されている中間板１２と、カバー板１３が配置されている。中間板１２とカバー板１３の平面形状は地板１１と略同じであって、中間板１２は、後述するように、カバー板１３を地板１１に取り付けるとき、カバー板１３の一部によって地板１１の受け部に接触させられようになっている。そして、地板１１と中間板１２の間には、後述するシャッタ羽根１４，１５の羽根室が構成され、中間板１２とカバー板１３との間には、後述する絞り羽根１６の羽根室が構成されている。尚、図５においては、カバー板１３の一部を切断して示してある。
【００３６】
地板１１の羽根室側の面には、図５に示されているように、三つの羽根取付軸１１ｆ，１１ｇ，１１ｈと、二つの位置決めピン１１ｉ，１１ｊと、六つのストッパ軸１１ｋ，１１ｍ，１１ｎ，１１ｐ，１１ｑ，１１ｒと、四つの受け部１１ｓ，１１ｔ，１１ｕ，１１ｖと、六つの受け部１１Ａ，１１Ｂ，１１Ｃ，１１Ｄ，１１Ｅ，１１Ｆとが一体成形で形成されているが、それらのうち前者の受け部１１ｓ，１１ｔ，１１ｕ，１１ｖは中間板１２を受けるためのものであり、後者の受け部１１Ａ，１１Ｂ，１１Ｃ，１１Ｄ，１１Ｅ，１１Ｆはカバー板１３を受けるためのものであって、前者よりも後者の方が高く形成されている。また、地板１１の反対側の面には、二つの回転子取付軸１１Ｇ，１１Ｈと、二つの位置決めピン１１Ｊ，１１Ｋと、図７に示されている四つの固定子取付軸１１Ｍ，１１Ｎ，１１Ｐ，１１Ｑとが一体成形で形成されている。更に、地板１１には、円弧状の長孔１１Ｒ，１１Ｓが、貫通孔として形成されている。尚、上記の固定子取付軸１１Ｍ，１１Ｎ，１１Ｐ，１１Ｑは、地板１１の製作時においては、実施例１の固定子取付軸１ｖ，１ｗと同様に、円柱形をしている。
【００３７】
地板１１と中間板１２との間に構成されている羽根室には、上記したように２枚のシャッタ羽根１４，１５が配置されている。それらのうち、地板１１側に配置されているシャッタ羽根１４は、長孔１４ａを有していて、羽根取付軸１１ｆに回転可能に取り付けられている。また、中間板１２側に配置されている他方のシャッタ羽根１５は、長孔１５ａを有していて、羽根取付軸１１ｇに回転可能に取り付けられている。
【００３８】
中間板１２は、合成樹脂製でも構わないが、本実施例の場合には、金属製の薄い板材で製作されていて、図５から分かるように、その略中央部に、光軸を中心にした円形の開口部１２ａが形成されている。その開口部１２ａは、地板１１の開口部１１ａやカバー板１３の開口部１３ａよりも直径が小さくて、露光開口を規制するようになっている。また、符号を付けていないが、この中間板１２には、円形をした七つの孔が形成されていて、それらのうちの三つを上記の羽根取付軸１１ｆ，１１ｇ，１１ｈに嵌合させ、二つを上記の位置決めピン１１ｉ，１１ｊに嵌合させ、一つを上記のストッパ軸１１ｎに嵌合させ、残りの一つを上記の受け部１１Ｄに嵌合させている。更に、この中間板１２には、図５において、上記の切込部１１ｂ，１１ｃに臨ませるようにして、一対ずつの被押圧部１２ｂ，１２ｃ，１２ｄ，１２ｅが設けられている。そして、この中間板１２にも、上記の長孔１１Ｒ，１１Ｓと重なる領域に夫々同じ形状をした長孔１２ｆ，１２ｇが形成されている。
【００３９】
中間板１２とカバー板１３との間に構成されている羽根室には、上記したように１枚の絞り羽根１６が配置されている。そして、この絞り羽根１６は長孔１６ａと、中間板１２の開口部１２ａよりも直径の小さな絞り用の開口部１６ｂを有していて、上記の羽根取付軸１１ｈに回転可能に取り付けられている。
【００４０】
カバー板１３は、合成樹脂製でも構わないが、本実施例の場合には、金属製の薄い板材で製作されていて、その略中央部に、光軸を中心にした円形の開口部１３ａが形成されている。このカバー板１３には、円形をした六つの孔１３ｂ，１３ｃ，１３ｄ，１３ｅ，１３ｆ，１３ｇと二つの長孔１３ｈ，１３ｉが形成されていて、それらのうちの孔１３ｂ，１３ｃ，１３ｄを上記の羽根取付軸１１ｆ，１１ｇ，１１ｈに嵌合させ、孔１３ｅ，１３ｆを上記の位置決めピン１１ｉ，１１ｊに嵌合させ、孔１３ｇをストッパ軸１１ｎに嵌合させている。また、長孔１３ｈは、上記の長孔１１Ｒ，１２ｆと同じ形状をしていて、それらに重なるように形成されており、長孔１３ｉは、上記の長孔１１Ｓ，１２ｇと同じ形状をしていて、それらに重なるように形成されている。
【００４１】
更に、このカバー板１３には、その外周部に可撓性を有する二つの折曲片１３ｊ，１３ｋが形成されている。そして、それらの折曲片１３ｊ，１３ｋは、全く同じ形状をしていて、図６に示されている折曲片１３ｊから分かるように、上記の係合部１１ｄ，１１ｅに掛け止めするためのフック部として形成されている長方形の孔１３ｊ−１，１３ｋ−１と、各々の孔１３ｊ−１，１３ｋ−１の両側に形成された一対の押圧部１３ｊ−２，１３ｊ−３，１３ｋ−２，１３ｋ−３とを有している。尚、本実施例では、上記のように、地板１１と中間板１２の間にシャッタ羽根１４，１５を配置し、中間板１２とカバー板１３の間に絞り羽根１６を配置しているが、地板１１と中間板１２の間に絞り羽根１６を配置し、中間板１２とカバー板１３の間にシャッタ羽根１４，１５を配置するようにしてもよい。
【００４２】
次に、上記のシャッタ羽根１４，１５を駆動するアクチュエータと、絞り羽根１６を駆動するアクチュエータの構成を説明するが、両者は露光開口（開口部１２ａ）を間にして異なる位置に配置されているとはいえ、構成は全く同じであって、実施例１に記載のアクチュエータとも同じ構成をしている。そのため、それらの構成については簡単に説明する。先ず、シャッタ羽根１４，１５を駆動するためのアクチュエータの回転子１７は、回転子取付軸１１Ｇに回転可能に取り付けられている。また、この回転子１７の出力ピン１７ａは、長孔１１Ｒ，１２ｆを貫通して、先端をカバー板１３の長孔１３ｈに挿入しており、羽根室内ではシャッタ羽根１４，１５の長孔１４ａ，１５ａに嵌合している。
【００４３】
また、合成樹脂製の固定子枠１８は、二つの平板部１８ａ，１８ｂの間のボビン部１８ｃにコイル１９を巻回しており、また、ヨーク２０は、二つの脚部の一方をボビン部１８ｃに貫通させていて、それらの脚部の先端部を磁極部とし、回転子１７の周面に対向させている。そして、固定子枠１８は、ヨーク２０の一方の脚部をボビン部１８ｃに貫通させた後、ヨーク２０の孔２０ａを位置決めピン１１Ｊに嵌合させると共に、平板部１８ａ，１８ｂに形成されている孔（平板部１８ｂに形成されている孔１８ｄだけが図７に示されている）を、そのときには未だ円柱形をしている固定子取付軸１１Ｍ，１１Ｎに嵌合させて、熱カシメされている。
【００４４】
他方、絞り羽根１６を駆動するためのアクチュエータの回転子２１は、回転子取付軸１１Ｈに回転可能に取り付けられている。そして、この回転子２１の出力ピン２１ａは、長孔１１Ｓ，１２ｇを貫通して、先端をカバー板１３の長孔１３ｉに挿入しており、羽根室内では絞り羽根１６の長孔１６ａに嵌合している。また、固定子枠２２は、二つの平板部２２ａ，２２ｂの間のボビン部２２ｃにコイル２３を巻回しており、また、ヨーク２４は、二つの脚部の一方をボビン部２２ｃに貫通させて、それらの脚部の先端部を磁極部とし、回転子２１の周面に対向させている。そして、この固定子枠２２は、ヨーク２４の一方の脚部をボビン部２２ｃに貫通させた後、ヨーク２４の孔２４ａを位置決めピン１１Ｋに嵌合させると共に、平板部２２ａ，２２ｂに形成されている図示していない孔を、そのときには未だ円柱形をしている固定子取付軸１１Ｐ，１１Ｑに嵌合させて、熱カシメされている。
【００４５】
ここで、地板１１に対する、シャッタ羽根１４，１５、中間板１２、絞り羽根１６、カバー板１３の組み付け方を詳しく説明する。本実施例の場合も、これらの組み付けは、上記のようなアクチュエータの組み付け後に行われる。本実施例の場合には、実施例１における口径規制板２が設けられていないので、最初に、２枚のシャッタ羽根１４，１５を地板１１に取り付ける。このときには、先ず、シャッタ羽根１４の孔（符号なし）を羽根取付軸１１ｆに嵌合させ、長孔１４ａに回転子１７の出力ピン１７ａを挿通させ、次に、シャッタ羽根１５の孔（符号なし）を羽根取付軸１１ｇに嵌合させ、長孔１５ａに出力ピン１７ａを挿通させる。
【００４６】
次に、中間板１２を取り付けるが、そのときには、中間板１２設けられている円形をした七つの孔（符号なし）を、上記の羽根取付軸１１ｆ，１１ｇ，１１ｈと、位置決めピン１１ｉ，１１ｊと、ストッパ軸１１ｎと、受け部１１Ｄに嵌合させる。それによって、中間板１２に形成されている円弧状の長孔１２ｆ，１２ｇに、回転子１７，２１の出力ピン１７ａ，２１ａが挿通された状態になる。その後、絞り羽根１６を取り付けるが、そのときには、絞り羽根１６の孔（符号なし）を羽根取付軸１１ｈに嵌合させ、長孔１６ａに回転子２１の出力ピン２１ａを挿通させる。
【００４７】
最後に、カバー板１３を取り付ける。その場合には、折曲片１３ｊ，１３ｋを図５の手前側から地板１１の切込部１１ｂ，１１ｃに挿入して、カバー板１３を地板１１側に寄せていく。そうすると、折曲片１３ｊ，１３ｋは外側に撓みながらその先端を係合部１１ｄ，１１ｅの斜面に乗り上げていく。そして、孔１３ｊ−１，１３ｋ−１の先端側の縁がその斜面を乗り上げきった段階で、孔１３ｅ，１３ｆを位置決めピン１１ｉ，１１ｊの先端に嵌合させる。その後、なおもカバー板１３を地板１１側に寄せてゆき、孔１３ｊ−１，１３ｋ−１の先端側の縁が係合部１１ｄ，１１ｅの外周面から外れる直前になると、必然的に、羽根取付軸１１ｆ，１１ｇ，１１ｈの先端が孔１３ｂ，１３ｃ，１３ｄに嵌合し、ストッパ軸１ｎの先端が孔１３ｇに嵌合し、出力ピン１７ａ，２１ａの先端が長孔１３ｈ，１３ｉに挿入された状態になる。そして、このとき、カバー板１３は、上記の受け部１１Ａ，１１Ｂ，１１Ｃ，１１Ｄ，１１Ｅ，１１Ｆに対して略接触状態になっている。
【００４８】
その後、さらにカバー板１３を僅かに撓ませるようにして地板１１側に押すと、孔１３ｊ−１，１３ｋ−１の先端側の縁が係合部１１ｄ，１１ｅの外周面から外れるので、折曲片１３ｊ，１３ｋは原形に復する。それによって、押圧部１３ｊ−２，１３ｊ−３，１３ｋ−２，１３ｋ−３が、中間板１２の被押圧部１２ｂ，１２ｃ，１２ｄ，１２ｅと接触するようになり、カバー板１３を地板１１側へ押す力を解除したときには、中間板１２とカバー板１３の間には相互に離れる方向への力が作用するようになる。そのため、中間板１２は地板１１の受け部１１ｓ，１１ｔ，１１ｕ，１１ｖに押し付けられ、カバー板１３は、孔１３ｊ−１，１３ｋ−１の先端側の縁が係合部１１ｄ，１１ｅに引っ掛かった状態になる。尚、本実施例の場合には、折曲片１３ｊ，１３ｋに、二つずつの押圧部１３ｊ−２，１３ｊ−３，１３ｋ−２，１３ｋ−３を設けているが、それらは一つずつであってもよい場合がある。そのため、そのようにした場合には、中間板１２に二つずつ形成されている被押圧部１２ｂ，１２ｃ，１２ｄ，１２ｅも、一つずつでよいことになる。
【００４９】
次に、本実施例の作動を説明する。図５は、本実施例のシャッタ装置をデジタルカメラに採用したときの撮影待機状態を示したものであり、シャッタ羽根１４，１５と絞り羽根１６は、開口部１２ａから退いていて開口部１２ａを全開にしている。そのため、図示していない固体撮像素子は被写体光にさらされており、被写体像をモニターで観察可能になっている。また、このとき、両方のアクチュエータのコイル１９，２３には通電されていないが、周知のようにして、回転子１７，２１には反時計方向へ回転する力が与えられており、シャッタ羽根１４，１５がストッパ軸１１ｋ，１１ｍに接触し、絞り羽根１６がストッパ軸１１ｑに接触していることによって、この停止状態が維持されている。
【００５０】
撮影に際してレリーズボタンを押すと、測光回路の測定結果によって、撮影光量を減じて撮影するか、減じないで撮影するかが決定される。そして、撮影光量を減じないで撮影する場合は、シャッタ羽根１４，１５だけが往復回転させられるだけであるから、上記の実施例１の場合と実質的に同じになる。従って、その場合の作動説明は、重複を避けるために省略する。そこで、撮影光量を減じて撮影すべきと判断されたときには、先ず、絞り羽根駆動用のアクチュエータのコイル２３に対し、順方向の電流が供給される。それによって、回転子２１は時計方向へ回転させられ、出力ピン２１ａによって、絞り羽根１６を反時計方向へ回転させ、開口部１２ａに進入させていく。そして、絞り羽根１６の開口部１６ｂの中心が開口部１２ａの中心位置に達すると、絞り羽根１６がストッパ軸１１ｒに当接することによって、回転子２１の回転が停止させられる。
【００５１】
そして、その直後には、固体撮像素子に蓄積されていた電荷が放出され、あらたな電荷の蓄積が行われることによって撮影が開始する。その後、所定の時間が経過すると、露光制御回路からの信号によって、シャッタ羽根駆動用のアクチュエータのコイル１９に対し、順方向の電流が供給される。そのため、回転子１７は時計方向へ回転させられ、出力ピン１７ａによって、シャッタ羽根１４を時計方向へ、シャッタ羽根１５を反時計方向へ回転させる。そして、シャッタ羽根１４，１５が、開口部１６ｂを閉鎖した直後に、ストッパ軸１ｎ，１１ｐに当接することによって、回転子１７の回転が停止させられる。
【００５２】
その後、撮像情報が記憶装置に転送されて撮影が終了すると、両方のアクチュエータのコイル１９，２３に対し、同時に逆方向の電流が供給され、回転子１７，２１は、反時計方向へ回転させられる。そのため、シャッタ羽根１４，１５と絞り羽根１６とは、夫々の出力ピン１７ａ，２１ａによって、先ほどとは反対方向へ回転させられ、シャッタ羽根１４，１５がストッパ軸１１ｋ，１１ｍに当接することによって、回転子１７の回転が停止させられ、絞り羽根１６がストッパ軸１１ｑに当接することによって、回転子２１の回転が停止させられる。そして、その直後に、コイル１９，２３に対する通電が断たれると、図５に示された撮影待機状態に復帰したことになる。
【００５３】
尚、本実施例は、実施例１の口径規制板２に相当する部材を設けていないため、中間板１２の開口部１２ａを露光開口とする場合で説明したが、このように口径規制板を設けていない場合には、地板１１の開口部１１ａ又はカバー板１３の開口部１３ａの直径を一番小さくし、それを露光開口にしてもよいことは言うまでもない。
【実施例３】
【００５４】
図８〜図１０を用いて実施例３を説明するが、本実施例は、シャッタ装置とフィルタ装置をユニット化したものであって、図８は、撮影待機状態を示した平面図であり、図９は、図８を下方から見た図であり、図１０は、構成部材の重なり状態を理解し易く示した断面図である。本実施例の構成は、全体としては上記の実施例２の構成と類似している。実施例２の構成と異なる点は、実施例１の口径規制板２に相当する口径規制板３１が新たに備えられており、それに伴って、中間板１２とカバー板１３の形状の一部が変わっていることと、絞り羽根１６の代わりに、３枚構成のフィルタ羽根３２が備えられていることである。そのため、図８〜図１０においては、実施例２の場合と実質的に同じ部材、部位に同じ符号を付けてあるので、それらについての詳細な説明は省略し、異なる構成を中心に説明する。
【００５５】
本実施例の地板１１と二つのアクチュエータの構成は、実施例２の場合と全く同じである。本実施例の場合は、図８において、地板１１の手前側に、薄板部材として製作された口径規制板３１と、同じく薄板部材として製作された中間板１２と、カバー板１３とが配置されていて、口径規制板３１と中間板１２との間に２枚のシャッタ羽根１４，１５の羽根室を構成し、中間板１２とカバー板１３との間にフィルタ羽根３２の羽根室を構成している。そして、口径規制板３１は、後述するように、カバー板１３を地板１１に取り付けるとき、カバー板１３の一部によって地板１１に密接させられようになっており、中間板１２は、後述するように、カバー板１３を地板１に取り付けるとき、カバー板１３の一部によって地板１１の四つの受け部１１ｓ，１１ｔ，１１ｕ，１１ｖに接触させられようになっている。尚、図８においては、カバー板１３の一部を切断して示してある。
【００５６】
本実施例の口径規制板３１は、実施例１の口径規制板２と同様に、金属製の薄い板材で製作されていて、その略中央部に、光軸を中心にした円形の開口部３１ａが形成されている。そして、その開口部３１ａは、地板１１の開口部１１ａや後述する中間板１２，カバー板１３の開口部１２ａ，１３ａよりも直径が小さくて、露光開口を規制するようになっている。また、符号を付けていないが、この口径規制板３１には、円形をした四つの孔が形成されていて、それらのうちの二つを羽根取付軸１１ｆ，１１ｇに嵌合させ、残りの二つを位置決めピン１１ｉ，１１ｊに嵌合させている。更に、この口径規制板３１には、切込部１１ｂ，１１ｃに一つずつの被押圧部３１ｂ，３１ｃが設けられている。そして、この口径規制板３１には、地板１１の長孔１１Ｒと重なる領域に同じ形状をした長孔３１ｄが形成されている。
【００５７】
地板１１と中間板１２との間に配置されている２枚のシャッタ羽根１４，１５は、実施例２の場合と全く同じ形状をしている。また、中間板１２に形成されている本実施例の開口部１２ａは、実施例２の場合よりも大きくて、カバー板１３の開口部１３ａと同じ直径をしている。更に、実施例２においては、この中間板１２に、切込部１１ｂ，１１ｃに臨ませるようにして、一対ずつの被押圧部１２ｂ，１２ｃ，１２ｄ，１２ｅが設けられていたが、本実施例の場合には、それらのうちの被押圧部１２ｃ，１２ｄが設けられているだけであって、被押圧部１２ｂ，１２ｅは設けられていない。中間板２のその他の形状は、実施例２の場合と同じである。
【００５８】
中間板１２とカバー板１３との間に構成されている羽根室には、周知の構成をしたフィルタ羽根３２が配置されている。このフィルタ羽根３２は、実質的には１枚の羽根として作動させられるものであるが、図１０から分かるように、外形形状が略同じであって重ね合わされているだけの３枚の羽根部材３２Ａ，３２Ｂ，３２Ｃで構成されている。それらのうち、真中に挟まれた羽根部材３２Ｂは、ＮＤフィルタシートで製作されているが、両側の羽根部材３２Ａ，３２Ｃは、不透明な板部材で製作されていて、同じ領域に同じ直径の開口部３２Ａａ,３２Ｃａが形成されている。そして、これらの３枚の羽根部材３２Ａ，３２Ｂ，３２Ｃは、全く同じ領域に全く同じ形状をした円弧状の長孔３２Ａｂ，３２Ｂａ，３２Ｃｂを有していて、羽根取付軸１１ｈに回転可能に取り付けられている。尚、本実施例においては、このような構成のフィルタ羽根３２を備えているが、特許文献１に記載されているようなフィルタ羽根にしてもよいことは言うまでもない。
【００５９】
本実施例のカバー板１３が、実施例２の場合と異なる点は、二つの折曲片１３ｊ，１３ｋの形状にある。本実施例の場合も二つの折曲片１３ｊ，１３ｋは同じ形状をしているが、図９に示されている折曲片１３ｊからも分かるように、フック部としての長方形の孔１３ｊ−１，１３ｋ−１の両側に形成されている各々一対の押圧部１３ｊ−２，１３ｊ−３，１３ｋ−２，１３ｋ−３は、押圧部１３ｊ−３，１３ｋ−２の方が、押圧部１３ｊ−２，１３ｋ−３よりも地板１１側に長く形成されていることである。本実施例のカバー板１３のその他の形状は、実施例２の場合と同じである。
【００６０】
ここで、地板１１に対する、口径規制板３１，シャッタ羽根１４，１５、中間板１２、フィルタ羽根３２、カバー板１３の組み付け方を詳しく説明する。本実施例の場合も、これらの組み付けは、上記のようなアクチュエータの組み付け後に行われる。先ず、地板１１に対して口径規制板３１を取り付けるが、その場合には、口径規制板３１に設けられている円形をした四つ孔（符号なし）を、羽根取付軸１１ｆ，１１ｇと位置決めピン１１ｉ，１１ｊに嵌合させる。それによって、口径規制板３１に形成されている円弧状の長孔３１ｄに、回転子１７の出力ピン１７ａが挿通された状態になる。
【００６１】
次に、２枚のシャッタ羽根１４，１５と中間板１２を順に取り付けるが、その取り付け方は、実施例２の場合に準じて行われる。続いて、フィルタ羽根３２を取り付けるが、上記のように本実施例のフィルタ羽根３２は、３枚の羽根部材３２Ａ，３２Ｂ，３２Ｃで構成されている。そのため、１枚ずつ順に取り付けていくようにしてもよいし、予め３枚重ねておいてから一度に取り付けても構わない。また、本実施例の場合とは別に、予め３枚の羽根部材３２Ａ，３２Ｂ，３２Ｃを重ねた状態で相互に固定しておいてから取り付けるようにしてもよい。そして、それらのいずれの場合であっても、３枚の羽根部材３２Ａ，３２Ｂ，３２Ｃの孔（符号なし）を羽根取付軸１１ｈに嵌合させ、長孔３２Ａｂ，３２Ｂａ，３２Ｃｂに回転子２１の出力ピン２１ａを挿通させる。
【００６２】
最後に、カバー板１３を取り付けるが、その取付作業そのものは、実施例２の場合と同じである。即ち、折曲片１３ｊ，１３ｋを図８の手前側から地板１１の切込部１１ｂ，１１ｃに挿入して、カバー板１３を地板１１側に寄せていく。それにより、折曲片１３ｊ，１３ｋが外側に撓まされてゆき、孔１３ｊ−１，１３ｋ−１の先端側の縁が係合部１１ｅ，１１ｄの斜面を乗り上げきった段階で、孔１３ｅ，１３ｆを位置決めピン１１ｉ，１１ｊの先端に嵌合させる。その後、カバー板１３を地板１１側に寄せてゆき、孔１３ｊ−１，１３ｋ−１の先端側の縁が係合部１１ｄ，１１ｅの外周面から外れる直前には、必然的に、羽根取付軸１１ｆ，１１ｇ，１１ｈの先端が孔１３ｂ，１３ｃ，１３ｄに嵌合し、ストッパ軸１ｎの先端が孔１３ｇに嵌合し、出力ピン１７ａ，２１ａの先端が長孔１３ｈ，１３ｉに挿入された状態になる。
【００６３】
その後、カバー板１３を僅かに撓ませるようにしてさらに地板１１側に押すと、孔１３ｊ−１，１３ｋ−１の先端側の縁が係合部１１ｄ，１１ｅの外周面から外れるので、折曲片１３ｊ，１３ｋは原形に復する。それによって、本実施例の場合には、押圧部１３ｊ−３，１３ｋ−２が、口径規制板３１の被押圧部３１ｃ，３１ｂに接触するようになり、押圧部１３ｊ−２，１３ｋ−３が、中間板１２の被押圧部１２ｄ，１２ｃと接触するようになる。そのため、カバー板１３を地板１１側へ押す力を解除すると、口径規制板３１は地板１１に密接させられ、中間板１２は地板１１の受け部１１ｓ，１１ｔ，１１ｕ，１１ｖに押し付けられ、カバー板１３は、孔１３ｊ−１，１３ｋ−１の先端側の縁が係合部１１ｅ，１１ｄに引っ掛かった状態になる。
【００６４】
本実施例の作動は、実施例２の場合に準じて行われるので説明を省略する。尚、本実施例の場合には、口径規制板３１と中間板１２の間にシャッタ羽根１４，１５を配置し、中間板１２とカバー板１３の間にフィルタ羽根３２を配置しているが、口径規制板３１と中間板１２の間にフィルタ羽根３２を配置し、中間板１２とカバー板１３の間にシャッタ羽根１４，１５を配置するようにしてもよい。また、本実施例は、シャッタ装置とフィルタ装置とをユニット化した羽根駆動装置として構成しているが、本実施例において、フィルタ羽根３２の代わりに、実施例２における絞り羽根１６を配置するようにすれば、シャッタ装置と絞り装置とをユニット化した羽根駆動装置であっても、実施例２の場合とは異なる構成の羽根駆動装置が得られる。
【実施例４】
【００６５】
図１１及び図１２を用いて実施例４を説明するが、本実施例は、シャッタ装置だけをユニット化したものであって、図１１は、撮影待機状態を示した平面図であり、図１２は、図１１を下方から見た図である。本実施例の構成は、全体としては上記の実施例１の構成と類似している。実施例１の構成と異なる点は、地板１に設けられている二つの位置決めピンが、実施例１の場合とは異なる位置に立設されていて、カバー板３だけを位置決めしており、口径規制板２の位置決めは、カバー板３が行っていることである。そして、本実施例のアクチュエータは、実施例１の場合と全く同じ構成をしている。そのため、図１１及び図１２においては、実施例１の場合と実質的に同じ部材、部位には同じ符号を付け、それらについての詳細な説明は省略し、部材形状の異なる部位を中心に説明する。
【００６６】
本実施例の地板１には、実施例１で設けられていた位置決めピン１ｈ，１ｉと受け部１ｓが設けられていない。そのため、本実施例の口径規制板２には、それらの位置決めピン１ｈ，１ｉと受け部１ｓに嵌合させていた円形の孔（符号なし）が形成されていないし、カバー板３にも、位置決めピン１ｈ，１ｉに嵌合させていた円形の孔３ｄ，３ｅが形成されていない。その代わり、本実施例の地板１には、受け部１ｐに位置決めピン１ｙが立設され、切込部１ｃの近傍位置に位置決めピン１ｚが立設されている。そして、本実施例の口径規制板２には、それらの位置決めピン１ｙ，１ｚに嵌合させるための孔が形成されていないが、カバー板３には、位置決めピン１ｙに嵌合させるための円形の孔３ｊと、折曲片３ｉを加工するための孔に連設されていて位置決めピン１ｚに係合させるための孔３ｋが形成されている。従って、本実施例の場合は、カバー板３は、位置決めピン１ｙ，１ｚによって直接位置決めされるが、口径規制板２は地板１によっては直接位置決めされないようになっている。
【００６７】
本実施例の口径規制板２は、実施例１の口径規制板２に形成されていた被押圧部２ｂ，２ｃ，２ｄ，２ｅの位置に、それらとは形状の異なる被押圧部２ｆ，２ｇ，２ｈ，２ｉを形成している。また、本実施例のカバー板３は、折曲片３ｈ，３ｉに設けている押圧部３ｈ−２，３ｈ−３，３ｉ−２，３ｉ−３の形成部位が、図１２に示されている折曲片３ｉから分かるように、凹状に形成されている。その他の構成は、実施例１の構成と同じである。
【００６８】
ここで、地板１に対する、本実施例の口径規制板２、シャッタ羽根４，５、カバー板３の組み付け方を説明する。本実施例の場合にも、これらの組み付けは、アクチュエータの組み付け後に行われる。先ず、地板１に対して口径規制板２を取り付けるが、その場合には、口径規制板２に設けられている円形をした三つの孔（符号なし）を、地板１の羽根取付軸１ｆ，１ｇと、ストッパ軸１ｍとに緩く嵌合させる。それによって、口径規制板２に形成されている円弧状の長孔２ｆに、回転子６の出力ピン６ａが挿通された状態になる。次に、２枚のシャッタ羽根４，５を取り付けるが、このときには、先ず、シャッタ羽根４の孔（符号なし）を羽根取付軸１ｆに嵌合させ、長孔４ａに回転子６の出力ピン６ａを挿通させ、その後、シャッタ羽根５の孔（符号なし）を羽根取付軸１ｇに嵌合させ、長孔５ａに出力ピン６ａを挿通させる。
【００６９】
最後に、カバー板３を取り付ける。その場合には、折曲片３ｈ，３ｉを図１の手前側から地板１の切込部１ｂ，１ｃに挿入しておいて、カバー板３を地板１側に寄せていく。そうすると、折曲片３ｈ，３ｉは外側へ撓みながらその先端を係合部１ｄ，１ｅの斜面に乗り上げていく。そして、孔３ｈ−１，３ｉ−１の先端側の縁がその斜面を乗り上げきった段階で、孔３ｊ，３ｋを位置決めピン１ｙ，１ｚの先端に嵌合させる。その後、なおもカバー板３を地板１側に寄せてゆき、孔３ｈ−１，３ｉ−１の先端側の縁が係合部１ｄ，１ｅの外周面から外れる直前になると、必然的に、羽根取付軸１ｆ，１ｇの先端が孔３ｂ，３ｃに嵌合し、ストッパ軸１ｍの先端が孔３ｆに嵌合し、出力ピン６ａの先端が長孔３ｇに挿入された状態になる。そして、このとき、カバー板３は、受け部１ｐ，１ｑ，１ｒに対して略接触状態になっている。
【００７０】
その後さらに、カバー板３を僅かに撓ませるようにして地板１側に押すと、孔３ｈ−１，３ｉ−１の先端側の縁が係合部１ｄ，１ｅの外周面から外れるので、折曲片３ｈ，３ｉは原形に復する。それによって、押圧部３ｈ−２，３ｈ−３，３ｉ−２，３ｉ−３を形成している凹形状の部位が、口径規制板２の被押圧部２ｆ，２ｇ，２ｈ，２ｉを抱え込んだ状態になって、押圧部３ｈ−２，３ｈ−３，３ｉ−２，３ｉ−３が被押圧部２ｆ，２ｇ，２ｈ，２ｉに接触し得るようになる。そして、カバー板３を地板１側へ押す力を解除すると、口径規制板２は地板１に密接させられ、且つ地板１の面に沿った方向へ移動するのも阻止され、カバー板３は、孔３ｈ−１，３ｉ−１の先端側の縁が係合部１ｄ，１ｅに引っ掛かった状態になる。
【００７１】
従って、本実施例の場合には、口径規制板２を、実施例１のように、地板１に設けられた位置決めピン１ｉによって位置決めしなくても、カバー板３の凹形状の押圧部によって確実に位置決めできるようになっている。また、このようなカバー板３による口径規制板２の位置決め構成は、上記の実施例２におけるカバー板１３と中間板１２との関係、並びに実施例３におけるカバー板１３と中間板１２との関係及びカバー板１３と口径規制板３１との関係にも採用することが可能である。尚、本実施例の作動説明は、実施例１の作動説明と実質的に同じであるため、説明を省略する。
【図面の簡単な説明】
【００７２】
【図１】撮影待機状態を示した実施例１の平面図である。
【図２】図１を下方から見た図である。
【図３】構成部材の重なり状態を理解し易く示した実施例１の断面図である。
【図４】撮影終了直後の状態を示した実施例１の平面図である。
【図５】撮影待機状態を示した実施例２の平面図である。
【図６】図５を下方から見た図である。
【図７】構成部材の重なり状態を理解し易く示した実施例２の断面図である。
【図８】撮影待機状態を示した実施例３の平面図である。
【図９】図８を下方から見た図である。
【図１０】構成部材の重なり状態を理解し易く示した実施例３の断面図である。
【図１１】撮影待機状態を示した実施例４の平面図である。
【図１２】図１１を左方から見た側面図である。
【符号の説明】
【００７３】
１，１１                                    地板
１ａ，２ａ，３ａ，１１ａ，１２ａ，１３ａ，１６ｂ，３１ａ，３２Ａａ，３２Ｃａ  開口部
１ｂ，１ｃ，１１ｂ，１１ｃ                  切込部
１ｄ，１ｅ，１１ｄ，１１ｅ                  係合部
１ｆ，１ｇ，１１ｆ〜１１ｈ                  羽根取付軸
１ｈ，１ｉ，１ｕ，１ｙ，１ｚ，１１ｉ，１１ｊ，１１Ｊ，１１Ｋ    位置決めピン
１ｊ，１ｋ，１ｍ，１ｎ，１１ｋ，１１ｍ，１１ｎ，１１ｐ〜１１ｒ  ストッパ軸
１ｐ〜１ｓ，１1ｓ〜１１ｖ，１１Ａ〜１１Ｆ   受け部
１ｔ，１１Ｇ，１１Ｈ                        回転子取付軸
１ｖ，１ｗ，１１Ｍ，１１Ｎ，１１Ｐ，１１Ｑ  固定子取付軸
１ｘ，２ｆ，３ｇ，４ａ，５ａ，１１Ｒ，１１Ｓ，１２ｆ，１２ｇ，１３ｈ，１３ｉ，１４ａ，１５ａ，１６ａ，３１ｄ，３２Ａｂ，３２Ｂａ，３２Ｃｂ     長孔
２，３１                                    口径規制板
２ｂ〜２ｉ，１２ｂ〜１２ｅ，３１ｂ，３１ｃ  被押圧部
３，１３                                    カバー板
３ｂ〜３ｆ，３ｈ−１，３ｉ−１，３ｊ，３ｋ，７ｄ，９ａ，１３ｂ〜１３ｇ，１３ｊ−１，１３ｈ−１，１８ｄ，２０ａ，２４ａ      孔
３ｈ，３ｉ，１３ｊ，１３ｋ                  折曲片
３ｈ−２，３ｈ−３，３ｉ−２, ３ｉ−３，１３ｊ−２，１３ｊ−３，１３ｋ−２，１３ｋ−３       押圧部
４，５，１４，１５                          シャッタ羽根
６，１７，２１                              回転子
６ａ，１７ａ，２１ａ                        出力ピン
７，１８，２２                              固定子枠
７ａ，７ｂ，１８ａ，１８ｂ，２２ａ，２２ｂ  平板部
７ｃ，１８ｃ，２２ｃ                        ボビン部
８，１９，２３                              コイル
９，２０，２４                              ヨーク
１２                                        中間板
１６                                        絞り羽根
３２                                        フィルタ羽根
３２Ａ，３２Ｂ，３２Ｃ                      羽根部材
【図１】
2009244614.tif 000003
【図２】
2009244614.tif 000004
【図３】
2009244614.tif 000005
【図４】
2009244614.tif 000006
【図５】
2009244614.tif 000007
【図６】
2009244614.tif 000008
【図７】
2009244614.tif 000009
【図８】
2009244614.tif 000010
【図９】
2009244614.tif 000011
【図１０】
2009244614.tif 000012
【図１１】
2009244614.tif 000013
【図１２】
2009244614.tif 000014